(57)【要約】【課題】接続の作業性及び製造性を向上した継手装置を提供する。【解決手段】複数のロックコマ81を、軸リング82及びばねリング83で連結して、抜止部材42を形成する。各ロックコマ81の下端側81aが、挿管支援具12のシャーシ41への挿入により、ばねリング83の付勢に抗して挿管支援具12から離間する方向に回動して挿管支援具12を係止する。各ロックコマ81の下端側81aが、挿管支援具12の引き抜き方向への荷重により挿管支援具12側へと回動して挿管支援具12を抜け止め保持する。挿管支援具12をシャーシ41に挿入するだけで抜止部材42により挿管支援具12を容易かつ迅速に係止及び抜け止めでき、接続の作業性を向上できる。鋼球を用いる場合よりも抜止部材42が組み付けやすく、製造性を向上できる。【選択図】図１
2009058032.tif 000002
【特許請求の範囲】
【請求項１】
被接続部材が挿入される継手本体と、
この継手本体に設けられ、この継手本体に挿入された前記被接続部材を抜け止め保持する抜止手段とを具備し、
前記抜止手段は、
長手状に形成された抜止手段本体と、
この抜止手段本体の基端側を回動可能に軸支した軸支部と、
前記抜止手段本体の先端側を前記被接続部材側へと回動する方向に付勢して基端側よりも前記被接続部材側へと突出させた状態で保持する付勢部とを備え、
前記抜止手段本体は、前記被接続部材の前記継手本体への挿入により、前記付勢部の付勢に抗して先端側が回動して前記被接続部材を係止可能であるとともに、この被接続部材の引き抜き方向への荷重によりこの被接続部材側へと回動してこの被接続部材を抜け止め保持する
ことを特徴とした継手装置。
【請求項２】
抜止手段本体は、複数設けられ、
軸支部は、複数の前記抜止手段本体の基端側を互いに連結し、
付勢部は、複数の前記抜止手段本体の先端側を互いに連結している
ことを特徴とした請求項１記載の継手装置。
【請求項３】
被接続部材の挿入方向に沿って動作させることで、抜止手段の抜止手段本体の先端側を付勢部の付勢に抗して前記被接続部材側から離間する方向へ回動させてこの被接続部材の抜け止めを解除可能にする抜止解除手段
を具備したことを特徴とした請求項１または２記載の継手装置。
【請求項４】
所定の規制状態では抜止解除手段の動作を規制し、前記規制状態と異なる所定の解除状態では、前記抜止解除手段の動作の規制を解除する規制手段
を具備したことを特徴とした請求項３記載の継手装置。
【請求項５】
抜止解除手段は、被接続部材の挿入方向に突出した凸部を一部に備え、
規制手段は、前記抜止解除手段に対して周方向に回動可能に設けられており、前記凸部と当接して前記抜止解除手段の前記被接続部材の挿入方向への動作を規制する規制部と、前記凸部が嵌合して前記抜止解除手段の前記被接続部材の挿入方向への動作を可能とする逃げ凹部とを周方向の一部に備えている
ことを特徴とした請求項４記載の継手装置。
【請求項６】
長尺状に形成され、挿管チューブを所定位置へと案内してこの挿管チューブの挿入を支援する被接続部材としての挿管支援具と
この挿管支援具を接続する請求項１ないし５いずれか一記載の継手装置と
を具備したことをと特徴とした挿管支援装置。
【発明の詳細な説明】
【技術分野】
【０００１】
本発明は、被接続部材を着脱可能に接続する継手装置及びこれを備えた挿管支援装置に関する。
【背景技術】
【０００２】
従来、例えば事故などにより意識障害を呈した患者に対する一次救命処置として人工呼吸をする場合などに、人工呼吸器を用いる際には、この人工呼吸器に挿管チューブを接続し、この挿管チューブを患者の気管に挿入して、この挿管チューブを介して人工呼吸器から気管に空気を送り込む。
【０００３】
このように挿管チューブを患者の気管に挿入するに当たり、気道閉塞を起こした患者に対して挿管作業を安全かつ容易に行うために用いられる長尺状の挿管支援装置が知られている。このような挿管支援装置は、患者の気管に挿入され挿管チューブを案内する挿管支援具を、この挿管支援具に挿入された撮像手段などを介してモニタリングするディスプレイなどを備えた装置本体に対して、ねじ込み接続している(例えば、特許文献１参照。)。
【０００４】
しかしながら、このような構成では、挿管支援具を装置本体に対してねじ込んで接続することから、接続に時間を要する。特に、救急医療現場での時間的制約がある中でこのようなねじ込み作業を要することは、施術者、あるいは医療補助者への負担が大きい。
【０００５】
そこで、挿管支援具などの被接続部材を容易に接続できるようにした継手装置が知られている。この継手装置は、被接続部材が挿入される筒状の本体部内に、中心軸方向及び径方向に沿って移動可能で被接続部材の外周面の凹部に嵌合して被接続部材を係止する鋼球を備えている。また、本体部の外部には、筒状の規制部材が嵌着され、この規制部材の一部に、鋼球の径方向への移動を規制する凸部と、鋼球が移動可能な凹部とが、軸方向に隣接して設けられている。そして、規制部材がばねなどの付勢手段により軸方向へと付勢されており、被接続部材が接続された状態では、被接続部材の凹部に嵌合した鋼球の径方向への移動を凸部が規制することで被接続部材を抜け止めし、規制部材を被接続部材の挿入方向である軸方向へと、付勢手段の付勢に抗して移動させることで、鋼球が凹部へと嵌合可能になり、被接続部材の抜け止めが解除されるように構成されている(例えば、特許文献２参照。)。
【特許文献１】特開２００７−１１７１１４号公報（第８−１３頁、図１−４）
【特許文献２】特許第３７８５８０３号公報（第４−６頁、図１）
【発明の開示】
【発明が解決しようとする課題】
【０００６】
しかしながら、上述の構成では、通常時に規制部材の凸部が鋼球に対向してこの鋼球の動作をロックしているため、この状態のままでは被接続部材を本体部に挿入することができないので、付勢手段の付勢に抗して規制部材を軸方向に移動させた状態を保持して鋼球を凹部へと一旦退避可能な状態としてロックを解除し、このロック解除状態で被接続部材を本体部に挿入した後、規制部材の保持を解除、すなわちリリースして鋼球により被接続部材を係止するという作業が必要になるため、迅速で、かつ、確実な接続が容易でなく、接続の作業性が良好でないという問題点を有している。
【０００７】
また、継手装置を製造する際に、鋼球を組み付けることが容易でなく、製造性を向上することが容易でないという問題点もある。
【０００８】
本発明は、接続の作業性及び製造性を向上した継手装置及びこれを備えた挿管支援装置を提供することを目的とする。
【課題を解決するための手段】
【０００９】
請求項１記載の継手装置は、被接続部材が挿入される継手本体と、この継手本体に設けられ、この継手本体に挿入された前記被接続部材を抜け止め保持する抜止手段とを具備し、前記抜止手段は、長手状に形成された抜止手段本体と、この抜止手段本体の基端側を回動可能に軸支した軸支部と、前記抜止手段本体の先端側を前記被接続部材側へと回動する方向に付勢して基端側よりも前記被接続部材側へと突出させた状態で保持する付勢部とを備え、前記抜止手段本体は、前記被接続部材の前記継手本体への挿入により、前記付勢部の付勢に抗して先端側が回動して前記被接続部材を係止可能であるとともに、この被接続部材の引き抜き方向への荷重によりこの被接続部材側へと回動してこの被接続部材を抜け止め保持するものである。
【００１０】
請求項２記載の継手装置は、請求項１記載の継手装置において、抜止手段本体は、複数設けられ、軸支部は、複数の前記抜止手段本体の基端側を互いに連結し、付勢部は、複数の前記抜止手段本体の先端側を互いに連結しているものである。
【００１１】
請求項３記載の継手装置は、請求項１または２記載の継手装置において、被接続部材の挿入方向に沿って動作させることで、抜止手段の抜止手段本体の先端側を付勢部の付勢に抗して前記被接続部材側から離間する方向へ回動させてこの被接続部材の抜け止めを解除可能にする抜止解除手段を具備したものである。
【００１２】
請求項４記載の継手装置は、請求項３記載の継手装置において、所定の規制状態では抜止解除手段の動作を規制し、前記規制状態と異なる所定の解除状態では、前記抜止解除手段の動作の規制を解除する規制手段を具備したものである。
【００１３】
請求項５記載の継手装置は、請求項４記載の継手装置において、抜止解除手段は、被接続部材の挿入方向に突出した凸部を一部に備え、規制手段は、前記抜止解除手段に対して周方向に回動可能に設けられており、前記凸部と当接して前記抜止解除手段の前記被接続部材の挿入方向への動作を規制する規制部と、前記凸部が嵌合して前記抜止解除手段の前記被接続部材の挿入方向への動作を可能とする逃げ凹部とを周方向の一部に備えているものである。
【００１４】
請求項６記載の挿管支援装置は、長尺状に形成され、挿管チューブを所定位置へと案内してこの挿管チューブの挿入を支援する挿管支援具とこの挿管支援具を接続する請求項１ないし５いずれか一記載の継手装置とを具備したものである。
【発明の効果】
【００１５】
請求項１記載の継手装置によれば、継手本体に挿入された被接続部材側へと付勢された抜止手段の長手状の抜止手段本体の先端側が、被接続部材の継手本体への挿入により、付勢部の付勢に抗して被接続部材側から離間される方向に回動して被接続部材を係止するとともに、この被接続部材の引き抜き方向への荷重によりこの被接続部材側へと回動してこの被接続部材を抜け止め保持することにより、被接続部材を継手本体に挿入するだけで抜止手段により被接続部材を容易に係止及び抜け止めでき、接続の作業性を向上できるとともに、例えば鋼球などを用いる場合よりも抜止手段が組み付けやすく、製造性を向上できる。
【００１６】
請求項２記載の継手装置によれば、共通の円弧状の軸支部により複数の抜止手段本体の基端側を軸支するとともに、共通の円弧状の付勢部により複数の抜止手段本体の先端側を付勢することで、抜止手段本体毎に軸支部及び付勢部を設ける必要がなく、軸支部及び付勢部の削減によって部品点数を削減できる。
【００１７】
請求項３記載の継手装置によれば、抜止解除手段を被接続部材の挿入方向に沿って動作させることで、抜止手段の抜止手段本体の先端側を付勢部の付勢に抗して被接続部材から離間する方向へと回動させて被接続部材の抜け止めを解除可能にすることにより、被接続部材を容易に取り外しできる。
【００１８】
請求項４記載の継手装置によれば、規制手段を所定の規制状態とすることにより抜止解除手段の動作を規制することで、被接続部材を誤って取り外すことを防止でき、規制手段を規制状態と異なる所定の解除状態とすることにより抜止解除手段の動作の規制を解除することで、被接続部材を取り外す場合には、容易に取り外しできる。
【００１９】
請求項５記載の継手装置によれば、抜止解除手段に対して周方向に回動可能な規制手段を、規制部が抜止解除手段の凸部と対向する位置に回動させることで、凸部が規制部に当接して抜止解除手段の被接続部材の挿入方向への動作を規制し、逃げ凹部が抜止解除手段の凸部と対向する位置に回動させることで、凸部が逃げ凹部に嵌合して抜止解除手段の被接続部材の挿入方向への動作を可能とするため、抜止解除手段の動作を規制したり、この規制を解除したりする規制手段の構成を、容易に実現できる。
【００２０】
請求項６記載の挿管支援装置によれば、請求項１ないし５いずれか一記載の継手装置を備えることで、挿管チューブを所定位置へと案内してこの挿管チューブの挿入を支援する挿管支援具を容易に接続できる。
【発明を実施するための最良の形態】
【００２１】
以下、本発明の一実施の形態の挿管支援装置を図１ないし図１４を参照して説明する。
【００２２】
図１４において、11は挿管支援装置を示し、この挿管支援装置11は、患者に対して図示しない人工呼吸器から空気を送り込む際に用いる挿管チューブＴの挿管用として用いるものである。
【００２３】
そして、この挿管支援装置11は、被接続部材としての挿管支援具12と、装置本体13と、継手装置14とを備え、この継手装置14を介して挿管支援具12が装置本体13に着脱可能に接続されている。
【００２４】
挿管支援具12は、患者の気管などに挿管されるものであり、例えば光透過性を有する、すなわち透明な合成樹脂などの部材により長手状に形成され、継手装置14に着脱可能に接続される基端側から、長手方向の中間部近傍まで略直線状に形成されているとともに、この長手方向の中間部近傍から先端側に掛けて、略９０°方向に屈曲されている。そして、この挿管支援具12は、図１２及び図１４に示すように、基端側から先端側に亘って、外部に、挿管チューブＴ用のガイド部である溝部16が形成されているとともに、内部に、ガイド孔部であるスコープガイド孔17と、貫通孔18とが形成され、かつ、先端部に、溝部16と連続する舌片状の突出部19が突出して形成されている。また、この挿管支援具12は、基端側に、継手装置14に挿入される被挿入部としての被接続部である円筒状の挿入筒部20が突出して一体に形成されている。
【００２５】
溝部16は、例えば挿管支援装置11の使用状態で挿管支援具12の右側に位置し、挿管チューブＴが挿入可能な幅寸法及び深さ寸法に設定され、挿管支援具12に対して、先端側が中心軸方向に徐々に接近するように傾斜状に形成されている。また、この溝部16の基端側、すなわち継手装置14側には、溝部16の両側に挿管チューブＴの支持用の脱落阻止手段、すなわちストッパである支持突部21，22がそれぞれ突設されている。さらに、この溝部16の両側部には、リブ23，24が壁状に突設されている。そして、この溝部16は、挿管支援具12を患者の口内に設置した状態で、挿管チューブＴの先端側を患者の声門裂へと自然に導く形状に設定されている。
【００２６】
支持突部21，22は、溝部16に沿って互い違いとなるように配置されている。すなわち、支持突部21は、溝部16の基端側の一側に位置し、支持突部22は、支持突部21よりも溝部16の先端側の他側に位置している。また、これら支持突部21，22は、先端側が溝部16側へと湾曲しており、挿管チューブＴの外周面を係止可能に構成されている。
【００２７】
リブ23，24は、先端部の間隔が挿管チューブＴの径寸法よりも小さく設定されており、溝部16に挿入された挿管チューブＴが溝部16から脱落しないように係止するものである。そして、リブ23は、突出部19と連続して一体に形成されている。
【００２８】
スコープガイド孔17は、観測装置であるスコープＳ(図６など)を挿入するための孔部であり、挿管支援具12の基端側が開口しているとともに、先端側が突出部19の基端部近傍である溝部16の先端部近傍において、閉塞部26により閉塞されて、内部に挿入されたスコープＳの先端側が外部に露出しないように構成されている。また、このスコープガイド孔17は、挿管支援具12の内部において、例えば挿管支援装置11の使用状態での左側寄り、すなわち溝部16と反対側寄りに位置している。さらに、スコープガイド孔17は、溝部16の傾斜形状に対応して、基端側である挿管支援具12側が径大に形成され、先端側が径小に形成されている。
【００２９】
ここで、スコープＳは、例えば可撓性を有し、ＣＣＤなどの撮像素子とＬＥＤなどの照明部とが先端に形成されたスコープ部27と、このスコープ部27の基端部に設けられこのスコープ部27が鋭角に曲がらないように保護する保護部28と、このスコープＳを継手装置14に固定するスコープ取付部29とを一体的に備え、例えば患者の喉頭ないし声門裂などの観察部位を閉塞部26越しに観測可能に構成されている。なお、スコープは、イメージガイド、あるいはライトガイドを設けたものや、ＣＣＤに代えて、目視確認用の対物レンズなどを設ける構成としてもよい。
【００３０】
スコープ取付部29は、継手装置14内に挿入されて螺合されている。また、このスコープ取付部29には、装置本体13側と電気的及び機械的に接続される端子を備えたフレキシブル基板などの接続部である図示しないコネクタ部が、スコープ部27と反対側に設けられている。
【００３１】
貫通孔18は、例えば唾液や痰などの流動性を有する異物を吸引するためのチューブや固体の異物を除去するための鉗子などを挿入するための孔部であり、溝部16の支持突部22の基端側の位置にて基端側が開口しているとともに、先端側が溝部16の先端近傍において開口されている。なお、これらチューブや鉗子は、貫通孔18に固定されていても、着脱可能であってもよい。また、この貫通孔18は、挿管支援具12の内部において、溝部16とスコープガイド孔17との間に位置している。さらに、この貫通孔18は、溝部16及びスコープガイド孔17よりも断面積が小さく形成されている。なお、貫通孔18は、複数設けてもよく、溝状としてもよい。
【００３２】
突出部19は、例えば挿管作業の際に患者の喉頭蓋を持ち上げるためのもので、平面視で四角形状に形成され、先端側の厚みが基端側よりも薄くなるように形成されている。また、突出部19の先端側の角部は、湾曲して形成されている。
【００３３】
そして、図７に示すように、挿入筒部20は、先端側の外周面に、継手装置14に挿入した状態でこの継手装置14により係止される被係止部としての被係止凹部である被係止溝部30が全周に亘って環状に形成されている。
【００３４】
また、図１３及び図１４に示すように、装置本体13は、例えば防水構造などの長手状のケース31を備え、このケース31の一端側に、継手装置14が接続されているとともに、他端側に、画像表示用のディスプレイ33が設けられている。また、ケース31には、このディスプレイ33などを駆動させるための図示しない電源用のスイッチなどが設けられている。
【００３５】
ディスプレイ33は、スコープガイド孔17に挿入されたスコープＳにより観測した画像、あるいは、挿管支援装置11の各種情報などが、ケース31内に収納された図示しない処理装置である処理回路などにより処理されて表示される部分であり、例えば平面視で四角形状に形成され、ケース31に対して回動可能に軸支されて、画像(映像)の角度を可変させることが可能となっている。
【００３６】
そして、継手装置14は、図１ないし図３、図６ないし図９などに示すように、装置本体13と接続される継手本体としての円筒状のシャーシ41と、抜止手段としての抜止部材42と、この抜止部材42を保持するとともにシャーシ41が挿通される抜止手段保持体としての円筒状のロックコマベース43と、このロックコマベース43に装着された抜止解除手段としての円筒状の操作リング44と、この操作リング44に装着された規制手段としての円筒状の規制リング45とを、互いに軸心を合わせて組み付けることで構成されている。
【００３７】
なお、以下、継手装置14の挿管支援具12側を上側、装置本体13側を下側として説明する。
【００３８】
シャーシ41は、継手装置14に挿入された挿管支援具12の挿入筒部20を挿入するとともに、挿管支援具12側のスコープＳが内部に挿入されて接続される部分であり、例えば合成樹脂などにより長手状に形成され、一端側である上側の端部の内周に、スコープＳのコネクタ部を螺合する螺子溝部51が設けられているとともに、この端部の外周に、挿管支援具12の取り付けの際のガイドとなるガイド部である位置決め用の位置決め溝部52が、軸方向に対して平行に設けられている。また、このシャーシ41の軸方向の中間域には、挿入された挿管支援具12の内周面に液密(気密)に接触するシール部材であるＯリング53を保持する保持凹部54が、周方向全体に連続した溝状に設けられている。さらに、このシャーシ41の保持凹部54よりも軸方向の他端側である下側には、係止部55が周方向に沿って複数、例えば３つ、互いに略等角度に離間されて設けられている。そして、このシャーシ41の他端部である下端部には、周方向全体に亘って径方向にフランジ状に突出した継手本体突出部であるフランジ部56が設けられている。また、このフランジ部56の下側には、装置本体13との連結部であるシャーシ突出部57が突出して設けられている。
【００３９】
螺子溝部51は、シャーシ41の上端部から所定の幅に亘って形成されている。
【００４０】
位置決め溝部52は、開口側である上端部が、上側へと徐々に拡開されており、挿管支援具12の下側の内周面に軸方向に平行に突設された被ガイド部である位置決め用の位置決め凸部61が嵌合する際のガイド面となっている。また、この位置決め溝部52は、シャーシ41の上端部から保持凹部54の近傍に亘って直線状に設けられている。
【００４１】
Ｏリング53は、可撓性を有する合成樹脂などにより円環状に形成され、外周側が保持凹部54から若干外部に突出している。
【００４２】
各係止部55は、シャーシ41の軸方向に沿って形成された回り止め部としてのリブ状の回り止め凸部64と、この回り止め凸部64の上端部からシャーシ41の周方向に沿って長手状に形成された軸方向抜止部65とを備え、側面視で略Ｌ字状に形成されている。
【００４３】
回り止め凸部64は、ロックコマベース43を周方向に回り止めするものである。
【００４４】
軸方向抜止部65は、ロックコマベース43の内周側に突出して設けられた図示しない抜止突出部に係合されることでシャーシ41に対してロックコマベース43を抜け止めするためのものである。
【００４５】
フランジ部56は、周囲に規制リング45が周方向に回動可能に取り付けられる部分であり、挿管支援具12と反対側の端部である下端側には、装置本体13を受ける座面66が形成されている。また、このフランジ部56の外周面には、シャーシ41を装置本体13と図示しない螺子などにより固定するための固定部67が、径方向に複数、例えば３箇所、互いに略等角度の位置にそれぞれ離間されて形成されている。さらに、一対の固定部67，67の間の位置には、規制リング45を回動させる際の回動開始位置と回動終了位置とのそれぞれにて操作感、すなわちクリック感を与えるための操作感付与部である一対のクリック凸部71，72及びクリック凹部73，74が、互いに隣接して形成されている。
【００４６】
座面66は、平面視で円環状に形成されており、シャーシ突出部57の周囲に平面状に形成されている。そして、この座面66には、シャーシ突出部57の周囲に、円環溝状の溝部76が設けられている。
【００４７】
この溝部76には、シール部材であるＯリング78が嵌着されている。このＯリング78は、装置本体13と液密(気密)に接続するためのもので、この嵌着状態で外周側が溝部76から外部に突出し、装置本体13のケース31の上端側に圧接されている。
【００４８】
固定部67は、螺子が取り付けられる螺子孔79がシャーシ41の軸方向に平行な方向に沿って穿設されている。また、この固定部67は、規制リング45の一部が、この規制リング45の回動時に周方向に当接することでこの規制リング45の回動角度を規制する回動規制部となるものである。
【００４９】
クリック凸部71，72及びクリック凹部73，74は、略円弧状にそれぞれ形成されており、規制リング45の一部がクリック凹部73，74に嵌合した状態で規制リング45が位置決めされるとともに、規制リング45の回動に伴いこの規制リング45の一部がこれらクリック凹部73，74からクリック凹部74，73側へと移動する際に、クリック凸部71，72を乗り越えるとき、及び、クリック凹部74，73に嵌合する際にクリック凸部72，71を乗り越えるときに、それぞれクリック感が生じるように構成されている。
【００５０】
シャーシ突出部57は、装置本体13のケース31に挿入されるものである。
【００５１】
また、図４及び図５に示すように、抜止部材42は、複数、例えば３つの抜止手段本体としての長手状のロックコマ81と、これらロックコマ81の一端側である基端側、すなわち上端側を回動可能に軸支した軸支部としての円弧状の軸リング82と、ロックコマ81の他端側であり係止部となる先端側としての下端側81aを付勢する付勢部としての円弧状のばねリング83とを備えている。
【００５２】
各ロックコマ81は、例えば金属などの部材により形成され、上端側に軸リング82が挿通される第１挿通孔85が穿設されているとともに、下端側にばねリング83が挿通される第２挿通孔86が穿設されている。また、各ロックコマ81は、抜止部材42の周方向に沿って厚みを有している。そして、これらロックコマ81は、図８に示すように、挿管支援具12が継手装置14に挿入された状態で、この挿管支援具12の被係止溝部30に下端側が係止されることで、挿管支援具12を継手装置14に対して抜け止め可能である。
【００５３】
軸リング82は、全てのロックコマ81を同一円周上で回動可能に軸支するもので、円環の一部が切り欠き形成されたＣ字状のリング体であり、例えば弾性を有する金属などの断面円形状の長尺部材を湾曲させて形成されている。
【００５４】
ばねリング83は、軸リング82よりも径寸法が小さいＣ字状のリング体であり、弾性を有する金属などの断面円形状の長尺部材を湾曲させて形成されている。したがって、このばねリング83は、通常の形状を保持することによって、各ロックコマ81の下端側81aを上端側よりも抜止部材42の中心軸方向に向けて傾斜させた状態で、各ロックコマ81の下端側を中心軸方向に向けて付勢している。すなわち、ばねリング83は、径方向、あるいは中心軸方向に外力を受けて径寸法が変化するように変形した際に、弾性によって通常の形状に復帰変形する方向に各ロックコマ81の下端側81aへと力を作用させるように形成されている。さらに、このばねリング83は、円環形状に切り欠き形成された開口部分の両側に、中心軸方向に縮径されるように若干屈曲変形(かしめ変形)された変形部88を備え、これら変形部88により、各ロックコマ81がばねリング83の周方向に抜け止めしている。
【００５５】
また、図１、図２、図６ないし図９に示すように、ロックコマベース43は、例えば合成樹脂などにより軸方向寸法がシャーシ41よりも短い略円筒状に形成され、このシャーシ41の外周部に取り付けた状態で、シャーシ41の上端側がこのロックコマベース43の上端部よりも突出している。また、このロックコマベース43は、軸方向の上端側の内周面に、抜止部材42の軸リング82の外周側を嵌合保持する保持溝部91と、ばねリング83が嵌合可能な凹状の逃げ部である逃げ溝部92とが形成されているとともに、上端部に、軸方向に平行に、各ロックコマ81が嵌合する嵌合溝部93が、複数、例えば３つ、周方向に等角度に離間されて形成されている。さらに、このロックコマベース43の下端部には、シャーシ41の各係止部55の回り止め凸部64がそれぞれ嵌合する回り止め部としての回り止め凹部94が複数形成されている。
【００５６】
保持溝部91は、全周に亘って円環状に形成され、断面が軸リング82の断面よりも若干大きい径寸法を有する略半円形状に形成されている。
【００５７】
逃げ溝部92は、保持溝部91よりも下側に、全周に亘って円環状に形成され、断面がばねリング83の断面よりも若干大きく形成され、径寸法が大きくなるように変形したばねリング83が各ロックコマ81の下端側81aがばねリング83の径方向へと回動した状態でそれぞれ嵌合(退避)可能に形成されている。
【００５８】
各嵌合溝部93は、保持溝部91及び逃げ溝部92の両方に亘って連続するようにロックコマベース43の上端部に切り欠き形成されている。また、これら嵌合溝部93は、各ロックコマ81が図６に示す通常の状態でこれらロックコマ81の上端側が嵌合しているとともに、各ロックコマ81の下端側81aがばねリング83の径方向へと回動した状態で嵌合するように形成されている。
【００５９】
各回り止め凹部94は、ロックコマベース43の下端部から周方向に長手状に切り欠き形成されているとともに、周方向の一端部から他端部へと、ロックコマベース43の外周面に対して中心軸方向へと徐々に湾曲した回り止め片部である長手状の湾曲片部96が延設されている。
【００６０】
各湾曲片部96は、自由端状の先端側が、各係止部55の回り止め凸部64に周方向に接触することで、ロックコマベース43をシャーシ41に対して周方向に回り止めしている。
【００６１】
操作リング44は、例えば合成樹脂などにより、軸方向寸法がロックコマベース43よりも長く、かつ、シャーシ41よりも短い略円筒状に形成され、このロックコマベース43の外部に、軸方向へと摺動可能に取り付けられている。また、この操作リング44は、軸方向の中心域の外周面に、径方向に突出した帯状の引っ掛け部である帯状凸部101を備えており、この帯状凸部101よりも下側の外周面に、この帯状凸部101よりも縮径された動作部である摺動部としての摺動嵌合部102が形成され、この摺動嵌合部102が規制リング45の内周側に、挿管支援具12のシャーシ41への挿入方向すなわち操作リング44の軸方向に所定のストロークで動作すなわち摺動可能に挿入されている。さらに、操作リング44の上端部には、この操作リング44の内周側へと折り返された抜止手段動作部としての折り返し部103が形成され、この折り返し部103と操作リング44の内周面との間が、ロックコマベース43の上端側が退避する抜止手段退避部である退避空間部104となっている。そして、この操作リング44の内周面と折り返し部103とには、操作リング44をロックコマベース43に対して周方向に位置決めするための図示しない位置決め部がリブ状に突出して形成されている。また、この操作リング44の下端部である摺動嵌合部102の下端には、規制リング45との位置関係により操作リング44の軸方向への摺動を規制する複数の凸部106が形成されている。さらに、この操作リング44の上端部である折り返し部103の上部には、挿管支援具12を受ける受面部107が段差状に形成されている。
【００６２】
帯状凸部101の外周面には、図示しないが、操作リング44の操作方向を示す矢印などの操作方向指示部、及び、操作リング44よりも上側に突出したシャーシ41の位置決め溝部52の位置を示す嵌合位置指示部が形成されている。そして、この帯状凸部101は、操作リング44を軸方向に摺動させる際に使用者が摘む引っ掛かりとなる部分である。
【００６３】
摺動嵌合部102は、帯状凸部101よりも薄肉に形成されている。また、この摺動嵌合部102の内周面には、図示しない複数の爪部が中心軸方向に突出して設けられ、図６に示す通常の状態でこれら爪部がロックコマベース43の下端部に係合することで、操作リング44が軸方向上側へと抜け止めされている。
【００６４】
折り返し部103は、操作リング44を取り付けた状態で抜止部材42の各ロックコマ81の内側面に下端部が対向しており、操作リング44の軸方向下側への摺動によって各ロックコマ81の内側面に当接して各ロックコマ81の下端側81aを外側、すなわちばねリング83を拡径させる方向へと回動(退避)させるように構成されている。
【００６５】
退避空間部104は、各ロックコマ81を保持したロックコマベース43の上端側を覆う空間部であり、操作リング44の摺動ストローク内でロックコマベース43の上端部が軸方向上下に移動可能となるように上下方向の寸法が設定されている。
【００６６】
位置決め部は、操作リング44の軸方向に沿って形成されており、ロックコマベース43の上端部の嵌合溝部93，93間に形成されたガイド凹部である位置決め嵌合切欠部108に嵌合するガイド凸部であり、かつ、この位置決め嵌合切欠部108とともに、操作リング44の取り付けの際のガイドとなる取付ガイド部、及び、操作リング44の摺動方向をガイドする際のガイドとなる摺動ガイド部、すなわち、抜止解除手段ガイド部をなすものである。
【００６７】
各凸部106は、摺動嵌合部102の下端よりも操作リング44の軸方向の下側、すなわち、挿管支援具12の挿入方向に沿って突出して形成されている。また、凸部106，106は、操作リング44の中心軸に対して互いに対向する位置、すなわち操作リング44の周方向に互いに略等角度に離間された位置に形成されている。さらに、これら凸部106は、両端部間が例えば操作リング44の中心軸に対して、所定角度、例えば約６０°の中心角をなすように周方向に長手状に形成されている。
【００６８】
受面部107は、挿管支援具12を継手装置14に挿入して接続した状態で、挿管支援具12の挿入筒部20の基端部の周囲に円環状に形成された挿管支援具座面109が当接する平面部である。
【００６９】
そして、規制リング45は、図１、図２、図１０及び図１１などに示すように、この規制リング45の外郭をなし使用者が摘む操作部である円筒状の外周側面部111と、この外周側面部111の下端側の内周面から突出した規制手段突出部であるリング突出部112，113とを有し、例えば合成樹脂などにより形成されている。
【００７０】
外周側面部111は、例えば装置本体13の上端側よりも小さい外径寸法に形成されている。また、この外周側面部111全体には、軸方向に平行に凹凸形成部としての引っ掛け溝部である複数の外周溝115が上端から下端に亘って直線状に形成され、これら外周溝115が使用者の指に引っ掛かることにより、規制リング45の周方向への回動操作を容易にしている。さらに、この外周側面部111には、規制リング45の回動位置を目視可能とする図示しない回動位置表示部である目印部が形成されている。
【００７１】
リング突出部112，113は、図３に示すように、外周側面部111の内周面に沿って所定の幅寸法に突出し、規制リング45の中心軸に対して互いに対向する位置に形成されている。すなわち、リング突出部112，113は、平面視で円弧状に形成されている。また、リング突出部112，113は、操作リング44の摺動嵌合部102の下端部、すなわち、各凸部106に対向する位置に形成されており、規制リング45の中心軸に対して、両端部間が周方向に所定角度、例えば１２０°の中心角をなす長さに形成されている。そして、リング突出部112，113には、操作リング44の凸部106が当接してこの操作リング44の軸方向への摺動を規制する規制部としての規制手段側凸部である規制リング凸部116と、凸部106が嵌合して操作リング44の軸方向への摺動を可能とする逃げ凹部としての規制手段側凹部である規制リング凹部117とが周方向に連続してそれぞれ形成されている。また、リング突出部112の規制リング凸部116の内周側と、リング突出部113の規制リング凹部117の内周側とには、規制リング45の回動をガイドする回動ガイド部121がそれぞれ突出して形成されている。さらに、リング突出部112の一端部である規制リング凹部117側の端部には、シャーシ41の固定部67に当接して規制リング45の回動角度を規制する回動規制部としてのストッパ部123が中心軸方向に突出して形成されている。そして、リング突出部113の一端部である規制リング凸部116側の端部には、操作感付与片部である長尺状のクリック片部125がリング突出部112側へと延設されている。
【００７２】
規制リング凸部116及び規制リング凹部117は、リング突出部112，113の長手方向である周方向に、互いに略等角度、すなわち本実施の形態では、両端部間が規制リング45の中心軸に対して約６０°の中心角をなす領域に形成され、規制リング45を所定の回動位置に回動させることで、操作リング44の凸部106といずれか一方が対向するように構成されている。
【００７３】
また、各規制リング凸部116は、図６に示す通常の状態で操作リング44の凸部106の下端と当接する上下寸法に設定されている。
【００７４】
さらに、各規制リング凹部117は、図６に示す通常の状態で操作リング44の凸部106の下端との距離が、操作リング44の摺動ストローク以上となるように上下寸法が設定されている。
【００７５】
したがって、操作リング44の摺動ストロークは、例えばロックコマベース43の上端部と操作リング44の退避空間部104との隙間、あるいは、各凸部106と各規制リング凹部117との隙間などにより設定されている。
【００７６】
各回動ガイド部121は、シャーシ41の固定部67，67間のフランジ部56の外周面に摺接するように、リング突出部112，113の内周側の形状に沿って円弧状に湾曲形成されている。
【００７７】
クリック片部125は、リング突出部113側である基端側に対して、先端側が自由端状に突出し、リング突出部113の内周側の形状に略沿って円弧状に形成され、リング突出部112，113の端部間の隙間部であるリング空間部127，127の一方に位置している。また、このクリック片部125の先端部には、シャーシ41のクリック凹部73，74に嵌合可能な嵌合部であるクリック嵌合部128が中心軸方向に突出して一体に形成されている。
【００７８】
そして、リング空間部127の両端部である各回動ガイド部121の両端部と、クリック片部125の基端部とには、規制リング45の中心軸側に突出した回動規制部としての当接面部129a，129b，129c，129d，129eがそれぞれ形成されており、これら当接面部129a〜129eとストッパ部123とにより、シャーシ41の固定部67が当接することで規制リング45の回動角度を規制する規制当接部が構成されている。このため、規制リング45は、この規制当接部により、クリック嵌合部128がクリック凹部73に嵌合して当接面部129a，129c，129eが各固定部67にそれぞれ当接する図１０に示す規制位置と、クリック嵌合部128がクリック凹部74に嵌合して当接面部129b，129d及びストッパ部123が各固定部67に当接する図１１に示す解除位置との間で、所定角度、本実施の形態では約４５°の範囲で回動可能に設定されている。
【００７９】
次に、上記一実施の形態の作用を説明する。
【００８０】
挿管支援装置11の組み立ての際には、シャーシ41の各螺子孔79に螺子を挿入してこれら螺子により装置本体13に螺子止めし、その状態で継手装置14を組み立てる。このとき、Ｏリング78が装置本体13に圧接されることで、装置本体13とシャーシ41(継手装置14)とが液密(気密)に接続される。なお、シャーシ41は、装置本体13に対して螺子止めとしたが、例えば接着固定などでもよい。
【００８１】
上記継手装置14の組み立ての際には、各ロックコマ81の第１挿通孔85に平面視Ｃ字状の軸リング82を挿通し、第２挿通孔86に平面視Ｃ字状のばねリング83を挿通させて、このばねリング83の端部を中心軸方向に変形させて抜止部材42を形成した後、この抜止部材42をロックコマベース43に取り付ける。
【００８２】
このとき、ロックコマベース43の嵌合溝部93のそれぞれに各ロックコマ81を嵌合させつつ、保持溝部91に抜止部材42の軸リング82を嵌着する。
【００８３】
さらに、抜止部材42を取り付けたロックコマベース43に対して、操作リング44を、位置決め部をロックコマベース43の位置決め嵌合切欠部108に位置合わせした状態で軸方向に取り付け、このロックコマベース43を嵌着した操作リング44を、周囲に規制リング45を取り付けたシャーシ41に挿入して、ロックコマベース43の各回り止め凹部94にシャーシ41の各係止部55の回り止め凸部64を嵌合させることで、継手装置14を完成する。
【００８４】
この状態で、抜止部材42は、各ロックコマ81の下端側81aが操作リング44の内周面よりも中心軸側へと突出するように傾斜した状態となっている(ニュートラルポジション)。
【００８５】
さらに、継手装置14の上端側に挿管支援具12を接続する。
【００８６】
すなわち、図６に示す通常の状態の継手装置14に対して、挿管支援具12の位置決め凸部61を継手装置14のシャーシ41の位置決め溝部52に位置合わせした状態で、図７に示すように挿管支援具12の挿入筒部20をシャーシ41に挿入すると、この挿入筒部20の外周面が、操作リング44の内周に嵌着されたロックコマベース43に保持された抜止部材42の各ロックコマ81の下端側81aに当接して、これらロックコマ81の下端側81aを、ばねリング83を拡径させる方向に、このばねリング83の付勢に抗して押し込むように回動させる。言い換えると、挿管支援具12の挿入筒部20を挿入することにより、各ロックコマ81が、挿管支援具12の装着のための通路を拡張する方向へと回動する。
【００８７】
そして、挿入筒部20が位置決め凸部61と位置決め溝部52との形状によりガイドされつつ所定の位置まで挿入されると、各ロックコマ81の下端側81aが挿入筒部20の被係止溝部30に位置することで、ばねリング83の付勢により、このばねリング83が通常の状態まで復帰するように縮径する方向、すなわち中心軸側へと、各ロックコマ81の下端側81aが回動して、図８に示すように、これらロックコマ81が被係止溝部30に係合し、挿管支援具12を継手装置14に対して抜け止めして、挿管支援装置11が完成する。このとき、Ｏリング53が挿管支援具12の挿入筒部20の外周面に圧接され、挿管支援具12と継手装置14とが液密(気密)に接続される。
【００８８】
この状態で、挿管支援具12に対して挿入方向と反対方向、換言すれば引き抜き方向へと荷重を加えて挿管支援具12を無理に抜こうとしても、被係止溝部30の下側の部分が各ロックコマ81の下端側81aに当接することで、これらロックコマ81の下端側81aが中心軸方向へと回動し、各ロックコマ81が被係止溝部30に食い込む。言い換えると、挿管支援具12を無理に引き抜こうとする力が、各ロックコマ81を挿管支援具12の装着のための通路を狭める方向へと回動させる力として作用するセルフロックとなる。
【００８９】
そして、使用者は、規制リング45を、図１０に示す規制位置へと回動させて、操作リング44の各凸部106を規制リング45の各規制リング凸部116に対向させることにより、操作リング44の軸方向への摺動をロックし、操作リング44の誤動作(誤操作)により挿管支援具12が継手装置14から脱落することを防止した状態で、挿管支援装置11を使用する。
【００９０】
このとき、継手装置14では、規制リング45の回動に伴い、図３に示すクリック嵌合部128が、クリック凹部73側へと回動し、自由端状のクリック片部125の先端側が撓んでクリック凸部71を乗り越えた後、クリック凹部73に嵌合することで、クリック感が生じるとともに、各回動ガイド部121が固定部67の側面にそれぞれ当接して規制リング45が回り止めされる。
【００９１】
挿管支援装置11の使用に際しては、まず、挿管支援具12のスコープガイド孔17にスコープＳを挿入し、装置本体13のスイッチを操作してディスプレイ33などの各部を駆動させ、挿管支援具12に挿管チューブＴを嵌合させた状態で、先端側を患者の舌根に沿わせながら患者の気管に向かって挿入する。
【００９２】
そして、閉塞部26越しにスコープＳを介してディスプレイ33に表示された画像により目視確認しながら、突出部19により患者の喉頭蓋を舌根側に持ち上げ、挿管支援具12の先端側の所定部分を患者の舌根部分に当接させて、気道を確保する。
【００９３】
次いで、気道を確保した状態で、ディスプレイ33に表示された画像を確認しつつ、挿管チューブＴをさらに押し込んで気管に到達させる。
【００９４】
そして、挿管チューブＴを気管へ挿入した状態で、この挿管チューブＴを溝部16から離脱させ、挿管支援具12を患者の口から抜き取る。
【００９５】
また、例えば挿管支援具12の交換時など、挿管支援具12を挿管支援装置11から取り外す際には、まず、規制リング45を、図１１に示す解除位置へと回動させ、規制リング45の各規制リング凹部117を操作リング44の各凸部106に対向させることにより、操作リング44の軸方向への摺動のロックが解除される。
【００９６】
このとき、継手装置14では、規制リング45の回動に伴い、図３に示すクリック嵌合部128が、クリック凹部73からクリック凹部74側へと回動する際に、自由端状のクリック片部125の先端側が撓んでクリック凸部71を乗り越えることで、クリック感が生じるとともに、シャーシ41の固定部67間のフランジ部56の外周面を摺動したクリック嵌合部128が、クリック片部125の先端側が再度撓んでクリック凸部72を乗り越えた後、クリック凹部74に嵌合することで、再度クリック感が生じ、ストッパ部123及び当接面部129b，129dが各固定部67の側面にそれぞれ当接して規制リング45が回り止めされる。
【００９７】
この状態で、使用者が操作リング44の帯状凸部101を摘んで、この操作リング44に対して軸方向下側に外力を加えてこの操作リング44を規制リング45側へと押し込むと、図９に示すように、この操作リング44の折り返し部103が各ロックコマ81の下端側81aを、挿管支援具12の挿入筒部20に対して離間される方向、すなわちばねリング83の付勢に抗してこのばねリング83を拡径する方向に回動させ、ばねリング83が逃げ溝部92に嵌合する位置まで各ロックコマ81が被係止溝部30の外部へと退避して、この被係止溝部30との係合、すなわち挿管支援具12の抜け止め保持が解除される。
【００９８】
そして、この解除を保持した状態で、使用者が挿管支援具12を軸方向に引き抜くことで、挿管支援具12が継手装置14から取り外される。
【００９９】
この挿管支援具12が外れた状態で、操作リング44をリリースすると、ばねリング83の径寸法が復帰変形することによる付勢によって各ロックコマ81の下端側81aが中心軸方向へと回動し、抜止部材42が、図６に示す通常の状態となる。
【０１００】
上述したように、上記一実施の形態によれば、シャーシ41に挿入した挿管支援具12側へと付勢された各ロックコマ81の下端側81aが、挿管支援具12のシャーシ41への挿入により、ばねリング83の付勢に抗して挿管支援具12から離間される方向に回動して挿管支援具12を係止するとともに、この挿管支援具12の引き抜き方向への荷重によりこの挿管支援具12側へと回動してこの挿管支援具12を抜け止め保持することにより、挿管支援具12をシャーシ41に挿入するだけで抜止部材42により挿管支援具12を容易かつ迅速に係止及び抜け止めでき、接続の作業性を向上できる。
【０１０１】
すなわち、例えば鋼球を使用する従来の構成などと比較して、挿管支援具12の装着時に、挿管支援具の抜止手段を手動で解除した状態を保持する必要がなく、ワンタッチで挿管支援具12を容易に接続できる。
【０１０２】
そして、このように容易に、かつ、誰にでも迅速に挿管支援具12を接続でき、かつ、自動的に挿管支援具12が抜け止めされる、信頼性が高い構成としたことで、救急医療機器として用いる挿管支援装置11において、この挿管支援装置11を現場などで組み立てて使用する施術者や医療補助者への負担を軽減できる。
【０１０３】
また、抜止部材42を、各ロックコマ81と、これらロックコマ81を回動可能に軸支する軸リング82と、各ロックコマ81を付勢するばねリング83とにより構成することで、例えば鋼球などを用いる場合よりも抜止部材42が組み付けやすく、製造性の向上や小型化を図ることが可能になるとともに、寸法精度が必要以上に要求されず、かつ、構造を簡略化できるため、他の部品を樹脂成形することが可能となるので、コストダウンや部品点数の低減が可能になる。
【０１０４】
しかも、共通の１つの軸リング82で全てのロックコマ81を軸支するとともに、共通の１つのばねリング83で全てのロックコマ81を付勢することで、ロックコマ81毎にそれぞれ軸支部及び付勢部を設ける必要がなく、軸支部及び付勢部の削減によるコストの抑制、部品点数の削減及び小型化が可能になる。
【０１０５】
また、３つのロックコマ81により挿管支援具12を周方向に略均等に３点で支持することにより、挿管支援具12を引き抜く方向への荷重を、各ロックコマ81により略均等に受けることができ、挿管支援具12の抜けを確実に防止できる。
【０１０６】
さらに、ばねリング83は、各ロックコマ81に挿通した後、端部を中心軸方向に変形させて変形部88を形成することにより、容易にロックコマ81を抜け止めできる。
【０１０７】
そして、操作リング44を挿管支援具12の挿入方向である軸方向に沿って摺動させることで、操作リング44の折り返し部103により抜止部材42の各ロックコマ81の下端側81aをばねリング83の付勢に抗して挿管支援具12から離間する方向へと回動させて挿管支援具12の抜け止めを解除可能にすることにより、挿管支援具12を容易に取り外しできる。
【０１０８】
さらに、規制リング45を図１０に示す規制位置に回動させることにより操作リング44の摺動を規制することで、挿管支援具12を誤って取り外すことを防止でき、規制リング45を規制状態と異なる図１１に示す解除位置に回動させることにより操作リング44の摺動の規制を解除することで、挿管支援具12を取り外す場合には、容易に取り外しできる。
【０１０９】
そして、操作リング44に対して周方向に回動可能な規制リング45を、各規制リング凸部116が操作リング44の各凸部106と対向する規制位置に回動させることで、各凸部106が各規制リング凸部116に当接して操作リング44の摺動を規制し、各規制リング凹部117が操作リング44の各凸部106と対向する位置に回動させることで、各凸部106がそれぞれ規制リング凹部117に嵌合して操作リング44の摺動を可能とするため、操作リング44の摺動を規制したり、この規制を解除したりする規制リング45の構成を、容易に実現できる。
【０１１０】
また、上記継手装置14を備えることで、挿管支援具12を容易かつ迅速に接続できるため、救急医療現場で用いる挿管支援装置11としての信頼性を向上できるだけでなく、操作リング44の操作により挿管支援具12を容易に取り外しできるので、使用の度に挿管支援具12を新しいものと交換でき、患者の細菌などによる二次感染を防止でき、安全性を向上でき、さらには、規制リング45の操作により操作リング44の動作を規制できるため、使用中などに誤って挿管支援具12が脱落することを防止できるから、挿管支援装置11としての信頼性を、より向上できる。
【０１１１】
さらに、規制リング45のクリック嵌合部128と、シャーシ41のクリック凸部71，72及びクリック凹部73，74を設けることで、規制リング45を図１０に示す規制位置と、図１１に示す解除位置とのいずれか一方から他方へと回動させる際にクリック感が生じるので、このクリック感により使用者が規制リング45の回動位置を容易に認識でき、良好な操作感を得ることができるとともに、各クリック凹部73，74にクリック嵌合部128が嵌合することで、規制リング45を図１０に示す規制位置と図１１に示す解除位置とのそれぞれの位置に仮保持でき、挿管支援装置11の使用中などに規制リング45が不用意に回動して操作リング44の摺動の規制が誤って解除され挿管支援具12が脱落してしまうことなどをも防止できる。
【０１１２】
そして、規制リング45の外周側面部111の外周部に目印部を設けることで、規制リング45がどの回動位置であるかを、容易に目視確認できる。
【０１１３】
なお、上記一実施の形態において、ロックコマは３つに限定されず、このロックコマ81に対応する嵌合溝部93などは、このロックコマ81の個数などに応じて適宜設定すればよい。
【０１１４】
また、ロックコマ81の抜止部材42への取り付け角度(傾き)や、ロックコマ81の形状などにより、被接続部材の挿入の際の接続音や抜止解除手段の操作時のクリック感を得られるようにすることもできる。
【０１１５】
さらに、被係止溝部30は、挿入筒部20の外周面に設けた凹部に限定されず、凸部としたり、挿入筒部20の内周面に設けたりしてもよく、あるいは設けない構成としてもよい。挿入筒部20の内周面側に設ける場合には、例えばばねリング83を軸リング82よりも径大に形成するなど、ロックコマ81の下端側81aを、基端側である上端側よりも外向きにすることで対応できる。
【０１１６】
そして、抜止解除手段は、上記操作リング44の構成に限定されるものではなく、被接続部材を継手装置14に対して取り外さないものであれば、設けなくてもよい。
【０１１７】
また、規制手段は、上記規制リング45の構成に限定されるものではなく、抜止解除手段の動作を規制する必要がない場合には、設けなくてもよい。
【０１１８】
さらに、継手装置14は、挿管支援装置11だけでなく、例えば液体や気体の配管など、任意の被接続部材の接続に用いることが可能である。
【図面の簡単な説明】
【０１１９】
【図１】本発明の一実施の形態の継手装置を示す分解斜視図である。
【図２】同上継手装置を示す斜視図である。
【図３】同上継手装置を示す下面図である。
【図４】同上継手装置の抜止手段を示す平面図である。
【図５】同上抜止手段を拡大して示す断面図である。
【図６】同上継手装置の通常の状態を示す縦断面図である。
【図７】同上継手装置に挿管支援具を挿入した状態を示す縦断面図である。
【図８】同上継手装置に挿入した挿管支援具を抜け止め保持した状態を示す縦断面図である。
【図９】同上継手装置の抜止解除手段を動作させて挿管支援具を引き抜いた状態を示す縦断面図である。
【図１０】同上継手装置の規制手段を規制位置に回動させた状態を一部を切り欠いて示す斜視図である。
【図１１】同上規制手段を解除位置に回動させた状態を一部を切り欠いて示す斜視図である。
【図１２】同上継手装置を備えた挿管支援装置の挿管支援具の一部を示す斜視図である。
【図１３】同上挿管支援装置の装置本体を示す斜視図である。
【図１４】同上挿管支援装置を示す斜視図である。
【符号の説明】
【０１２０】
11    挿管支援装置
12    被接続部材としての挿管支援具
14    継手装置
41    継手本体としてのシャーシ
42    抜止手段としての抜止部材
44    抜止解除手段としての操作リング
45    規制手段としての規制リング
81    抜止手段本体としてのロックコマ
81a   先端側である下端側
82    軸支部としての軸リング
83    付勢部としてのばねリング
106   凸部
116   規制部としての規制リング凸部
117   逃げ凹部としての規制リング凹部
Ｔ    挿管チューブ
【図１】
2009058032.tif 000003
【図２】
2009058032.tif 000004
【図３】
2009058032.tif 000005
【図４】
2009058032.tif 000006
【図５】
2009058032.tif 000007
【図６】
2009058032.tif 000008
【図７】
2009058032.tif 000009
【図８】
2009058032.tif 000010
【図９】
2009058032.tif 000011
【図１０】
2009058032.tif 000012
【図１１】
2009058032.tif 000013
【図１２】
2009058032.tif 000014
【図１３】
2009058032.tif 000015
【図１４】
2009058032.tif 000016